(57)【要約】【課題】表示装置をネットワーク化して一元管理できる遊技機用表示装置の管理システムを提供することにある。【解決手段】リモート管理画面を表示できるモニター１０ａを備えた管理用コンピューター１０と、前記管理用コンピューター１０に接続された複数台のパチンコ機用呼出ランプ１３とからなる。そして、前記管理用コンピューター１０が、前記モニター１０ａに表示されたリモート管理画面からパチンコ台の動作状況に応じて前記モニター１０ａの動作態様を設定できる設定機能と、設定して得た設定データを前記呼出用ランプ１３に送信できる送信機能と、を有する。【選択図】  図１
2004215841.tif 000002
【特許請求の範囲】
【請求項１】
リモート管理画面を表示できる表示手段を備えた管理用コンピューターと、前記管理用コンピューターに接続された複数台の遊技機用表示装置とからなり、
前記管理用コンピューターが、前記表示手段に表示されたリモート管理画面から遊技機の動作状況に応じて前記表示装置の動作態様を設定できる設定機能と、設定して得た設定データを前記表示装置に送信できる送信機能と、を有することを特徴とする遊技機用表示装置の管理システム。
【請求項２】
管理用コンピューターに接続した複数台の中継ユニット毎に、複数台の遊技機用表示装置をそれぞれ接続したことを特徴とする請求項１に記載の遊技機用表示装置の管理システム。
【請求項３】
管理用コンピューターの表示手段が、リモート管理画面と稼働状況画面とを切換可能であることを特徴とする請求項１または２に記載の遊技機用表示装置の管理システム。
【請求項４】
管理用コンピューターが、表示手段のリモート管理画面を介して設定した設定データを記憶する記憶手段を、有することを特徴とする請求項１ないし３のいずれか１項に記載の遊技機用表示装置の管理システム。
【請求項５】
管理用コンピューターが、記憶手段から設定データをワンクリックで呼び出せるユーザーボタンを、リモート用管理画面に表示したことを特徴とする請求項１ないし４のいずれか１項に記載の遊技機用表示装置の管理システム。
【請求項６】
管理用コンピューターが、記憶手段に予め記憶させた設定データを所定の時期に呼び出して所定の表示装置に送信するスケジュール機能を有することを特徴とする請求項１ないし５のいずれか１項に記載の遊技機用表示装置の管理システム。
【発明の詳細な説明】
【０００１】
【発明の属する技術分野】
本発明は遊技機用表示装置の管理システム、特に、パチンコ，パチスロに使用される呼出ランプの管理システムに関する。
【０００２】
【従来の技術】
従来、例えば、パチンコホールに使用されるパチンコ台の呼出ランプは、各パチンコ台毎の動作状況を顧客や店員に知らせる表示装置であり、通常、パチンコ台の動作状況に応じた表示態様、例えば、大当りの場合はどの色のランプをどの様に点灯させるかを、リモートコントローラーで個々に設定し、管理していた（例えば、非特許文献１参照。）。
【０００３】
【非特許文献１】
株式会社日惠製作所  呼出しランプ「ビークル」（Ｖｅｈｉｃｌｅ）のカタログ  ２００２年６月  第０２−３号  ｐ．４
【０００４】
【発明が解決しようとする課題】
しかしながら、前述の管理システムでは、呼出しランプ毎、あるいは、設定項目毎に設定を行う必要があり、煩雑で手間がかかった。このため、例えば、パチンコ台に大当りが出たときに、そのパチンコ台を設置した島の呼出しランプ全体を同時に点滅させたり、あるいは、前記島の呼出しランプを順次点灯および消灯させて流れ表示させるという設定は容易でなかった。特に、隣り合う島の呼出しランプあるいは島を越えてホール全体の呼出しランプの動作を同期させることは極めて困難であるという問題点があった。
【０００５】
本発明は、前記問題点に鑑み、表示装置をネットワーク化して一元管理できる遊技機用表示装置の管理システムを提供することを目的とする。
【０００６】
【課題を解決するための手段】
本発明にかかる遊技機用表示装置の管理システムは、前記目的を達成すべく、リモート管理画面を表示できる表示手段を備えた管理用コンピューターと、前記管理用コンピューターに接続された複数台の遊技機用表示装置とからなり、前記管理用コンピューターが、前記表示手段に表示されたリモート管理画面から遊技機の動作状況に応じて前記表示装置の動作態様を設定できる設定機能と、設定して得た設定データを前記表示装置に送信できる送信機能と、を有する構成としてある。
【０００７】
したがって、本発明によれば、管理用コンピューターのリモート画面を介して遊技機の動作状況に応じて複数台の表示装置の動作態様を一括して設定できる。このため、表示装置の一元管理が可能となり、表示装置の設定操作が簡単になるだけでなく、表示装置を同時に動作させたり、時間をずらして動作させることができ、多種多様な表現が可能になる。
【０００８】
本発明の実施形態としては、管理用コンピューターに接続した複数台の中継ユニット毎に、複数台の遊技機用表示装置をそれぞれ接続した構成であってもよい。
本実施形態によれば、多数の表示装置を接続する場合であっても、少数の表示装置、例えば、パチンコホールにおいては島毎の呼出ランプを一括して設定でき、使い勝手が良くなる。
【０００９】
本発明の他の実施形態としては、管理用コンピューターの表示手段が、リモート管理画面と稼働状況画面とを切換可能であってもよい。
本実施形態によれば、通常、稼働状況画面を使用し、必要に応じてリモート管理画面に切り換えて使用でき、便利になる。
【００１０】
本発明の別の実施形態としては、管理用コンピューターが、表示手段のリモート管理画面を介して設定した設定データを記憶する記憶手段を、有していてもよい。
本実施形態によれば、一度設定して得たデータを保存しておき、必要に応じて記憶手段から呼び出すようにしておけば、同一の設定作業を繰り返す必要がなく、作業の効率化を図ることができる。
特に、管理用コンピューターが、記憶手段から設定データをワンクリックで呼び出せるユーザーボタンを、リモート用管理画面に表示しておけば、リモート管理画面で所定のユーザーボタンをクリックすることにより、設定データを呼び出すことができ、より一層便利になる。
【００１１】
本発明の新たな実施形態としては、管理用コンピューターが、記憶手段に予め記憶させた設定データを所定の時期に呼び出して所定の表示装置に送信するスケジュール機能を有していてもよい。
本実施形態によれば、予め設定した設定データを所望の時期に送信して表示装置の設定を変更できる。このため、異なる内容あるいは同一内容の設定データを一時あるいは所望の時期に変更でき、設定作業を容易かつ迅速に処理できるので、より一層便利になるという効果がある。
【００１２】
【発明の実施の形態】
本発明にかかる実施形態を図１ないし図１６の添付図面に従って説明する。
本実施形態はパチンコ機用呼出ランプの管理システムに適用した場合であり、図１および図２に示すように、管理用コンピューター１０を通信モジュール１１（図２）を介して複数台の島端ユニット１２にそれぞれ接続したものである。前記島端ユニット１２には複数台の呼出ランプ１３が接続されている。また、前記管理用コンピューター１０はパチンコ台のランキングを示すランキングディスプレイ１４にも接続されている。なお、前記通信モジュール１１は有線通信であってもよく、あるいは、無線通信であってもよい。
【００１３】
前記管理用コンピューター１０は、稼働状況画面３０（図１１）、リモート管理画面４０（図１２，図１３および図１４）、初期設定情報編集，新規作成画面５０（図１５）、スケジュール入力画面６０（図１６）等を表示するモニター１０ａを備え、その内部構成は図３に示すように構成されている。
【００１４】
前記管理用コンピューター１０は、任意の呼出ランプ１３に送受信できる通信モジュール１１を介してホール内の全ての呼出ランプ１３の稼働状況を定期的に吸い上げ、その稼働状況データを記憶装置２１に貯える。そして、その稼働状況データを管理コンピューター１０のモニター１０ａに稼働状況画面３０（図１１）として表示する。
【００１５】
また、前記管理用コンピューター１０は、リモート管理画面４０から内部処理装置２２を介して設定データを編集し、通信モジュール１１を介して直ちに送信できる。また、編集した設定データを記憶装置２３に保存しておき、必要が生じたときに任意のユーザボタンに前記設定データを割当てる。そして、前記ユーザーボタンを操作して記憶装置２３から設定データを呼び出し、送信すれば、ワンクリックで簡単に設定を変更できる。
【００１６】
さらに、前述のように設定データを編集して記憶装置２３にユーザーボタンを割り当てて保存するととも、スケジュール編集を行い、スケジュールデータを記憶装置２６に保存する。なお、「スケジュール」とは、保存してある設定データを任意の時に任意の番号の台に送信して設定する機能である。
したがって、記憶装置２６に保存されたスケジュールデータに基づき、所定の時間になると、スケジュール管理する内部処理装置２４が記憶装置２３から設定データを呼び出し、通信モジュール１１から指定された時間に指定された番号の台に指定された前記設定データを送信する。
【００１７】
前記稼働状況画面３０は、図１１に示すように、左側上方のゾーン３１に稼働状況データに基づいてホール内のパチンコ台の配置を示す配置図（以下、「島図」という）を表示している。前記島図では、パチンコ台を示す各矩形の枠のうち、上半分にパチンコ台の機種を色付表示する一方、下半分に稼働状態を色付表示している。さらに、前記ゾーン３１の下方側のゾーン３２，３３には、パチンコ台の機種の対応表、および、稼働状態の対応表がそれぞれ色付表示されている。一方、画面３０の右側上方に設けた入力フィールド３４に特定台の台番号を入力すると、その下方側のゾーン３５に前記特定台の稼働状況の履歴が表示される。さらに、画面３０の右端に設けた４個のチェックボックス３６を適宜、ＯＮ／ＯＦＦすることにより、ゾーン３７において全台の所望の稼働状況が文字表示される。
そして、稼働状況画面３０の右隅にある「管理画面」ボタン３８をクリックすることにより、稼働状況画面３０をリモート管理画面４０（図１２）に切り換えることができる。
【００１８】
リモート管理画面４０は、図１２に示すように、所望の呼出ランプの設定を行うためのものであり、左側上方のゾーン４１に台毎の設定が文字情報でリスト表示される。ゾーン４１で示された文字情報は右側上方のゾーン４６に表示された島図とリンクしており、前記島図で台を選択すると、ゾーン４１に示した台の文字情報が反転表示される。また、前記ゾーン４１の下方側のゾーン４２には、予め登録されたスケジュールデータの一覧表が文字表示されている。さらに、前記ゾーン４２の下方側には、所定の設定データを特定台にワンクリックで割り当てることができる４つのユーザボタン４３が配置されている。そして、前記ユーザボタン４３の右側には、新規作成画面５０（図１５）および稼働状況画面３０への切り換え用ボタン４４，４５が上下に配置されている。
【００１９】
一方、右側上方のゾーン４６の島図は、パチンコ台を示す各矩形の枠のうち、上半分で台の機種を色付表示するとともに、下半分で現在、設定されている設定データを色付表示している。前記ゾーン４６の下方側のゾーン４７，４８には、前記ゾーン４６で表示されたパチンコ台の機種の一覧表および設定データの一覧表がそれぞれ色付表示されている。
【００２０】
したがって、図１２に示すゾーン４６の島図で台を選択し、ゾーン４１内の文字情報を反転表示する。そして、ゾーン４１内で右クリックして一覧表を表示し（図１３）、新規作成および設定１〜５の一覧表から所望のメニューを選択する。
【００２１】
図１３に示す一覧表の設定１〜５のいずれかを選択すると、選択した設定データを「スケジュール」処理、あるいは、「いますぐ」処理するメニューが表示される。そして、「いますぐ」処理を選択すると、誤操作を防止するため、送信確認メッセージが表示され（図１４）、「はい」ボタンをクリックすると、選択した台に設定データが直ちに送信され、呼出ランプの設定が直ちに変更される。
【００２２】
一方、「スケジュール」処理を選択すると、図１６に示すスケジュール画面６０に切り換わり、その左側のゾーン６１に送信先の台番号等の文字情報が表示される。そして、画面右側に位置する入力フィールド６２の開始時刻と、設定解除時刻である終了時刻と、適用日とを設定した後、終了ボタン６３を押すと、リモート管理画面４０（図１２）に戻り、設定したスケジュールデータがゾーン４２のスケジュール一覧表に表示される。なお、設定解除後の呼出ランプの設定は送信前の状態に戻る。
【００２３】
また、図１３に示すリモート管理画面４０において「新規作成」を選択すると、図１５に示す初期設定情報編集，新規作成画面５０が表示され、イベントランプの常時点灯色、様々なランプ動作やアニメ表示の動作設定を行うことができる。したがって、本実施形態によれば、呼出ランプに設定できる初期設定値を一括で編集，設定できる。そして、設定終了後に「ＯＫ」ボタンをクリックすることにより、設定データを記憶装置に保存するとともに、図示しないユーザーボタン設定画面に切り換わる。さらに、前記設定データを任意のユーザーボタンに割り当てた後、「ＯＫ」ボタンをクリックすると、図１４に示すリモート管理画面４０に切り換わり、送信確認メッセージが表示される。ついで、「はい」ボタンをクリックすると、選択した台に設定データが直ちに送信され、呼出ランプの設定が直ちに変更される。
【００２４】
従来のリモコンによる設定では、複数項目の変更が必要な場合は各項目毎に数値を設定しなければならず、煩雑な設定作業が必要であった。しかし、本実施形態によれば、予め設定した複数項目の設定データを保存し、これを利用すれば、同じ設定作業を繰り返す必要がなく、作業負担を軽減できるので、作業効率が向上する。
【００２５】
なお、設定データの送信方法を改めて説明すると、例えば、次の３種類が挙げられる。
第１の送信方法は、図１２のリモート管理画面４０でゾーン４６内の特定台を選択し、ゾーン４１の文字情報を反転表示する。ついで、ゾーン４６内で右クリックすると、設定データのメニューの一覧が表示され（図１３）、設定データのいずれかを選択し、「いますぐ」を選択してクリックすると、ゾーン４６に「送信の確認」のメッセージが表示され（図１４）、「はい」を押して送信することにより、ゾーン４１の設定を変更する方法である。
【００２６】
第２の送信方法は、図１２のリモート管理画面で島図で特定台を選択し、ゾーン４１の文字情報を反転表示する。ついで、ユーザーボタンの設定１〜４のうち、任意の設定番号を選択してクリックすると、ゾーン４６に「送信の確認」のメッセージが表示され（図１４）、「はい」を押して送信することにより、ゾーン４１の設定を変更する方法である。
【００２７】
第３の送信方法は、図１２のリモート管理画面の島図で特定台を選択し、ゾーン４１の文字情報を反転表示する。ついで、ゾーン４６内で右クリックして表示された設定データのメニューの一覧表から「新規作成」を選択してクリックすると、リモート管理画面４０から初期設定情報編集，新規作成画面５０に切り換わる。そして、種々の設定を行った後、「ＯＫ」ボタンを押すことにより、リモート管理画面４０に再び戻るとともに、「送信の確認」のメッセージが表示される（図１４）。ついで、「はい」を押して送信することにより、ゾーン４１の設定を変更する方法である。
【００２８】
次に、図４から図１０に示したフローチャートにしたがって操作手順を説明する。
まず、図４に示すようにステップＳ１で通信モジュールを起動し、ついで、図５に示すようにデータの送信を要求しているか否かをステップＳ２で判断し、要求していなければステップＳ３に進み、要求していればステップＳ４で送信処理を行い、ステップＳ３に進む。ステップＳ３では受信データであるか否かを判断し、受信データでなければ、ステップＳ５に進み、受信データであれば、ステップＳ６で受信処理を行い、ステップＳ５に進む。ステップＳ５では、終了を指示したか否かを判断し、指示していなければ、ステップＳ２に戻り、指示していなければ、ステップＳ７で終了処理を行って通信モジュールでの処理を終了し、図４のステップＳ８で稼働状況の画面を起動する。
【００２９】
そして、図６に示すように、ステップＳ９で稼働状況データを読込み、ステップＳ１０で台情報を表示した後、ステップＳ１１で管理画面へ移動するか否かを判断し、移動しないのであればステップＳ１２に進み、移動するのであれば、管理画面を表示する（ステップＳ１３）。
【００３０】
管理画面では、図７に示すようにステップＳ１４で台情報を選択しているか否かを判断し、選択していなければ、ステップＳ１５に進み、選択していれば、ステップＳ１６で島図を選択表示し、ステップＳ１５に進む。ステップＳ１５では台を選択しているか否かを判断し、選択していなければ、ステップＳ１７に進み、選択していれば、ステップＳ１８で台情報を表示し、図８に示すステップＳ１９に進む。
【００３１】
ステップＳ１９では設定データを選択し、ステップＳ２０で選択したか否かを判断し、選択していなければ、ステップＳ２１に進み、選択していれば、ステップＳ２２でスケジュールか否かを判断し、スケジュールでなければ、ステップＳ２３に進み、スケジュールであれば、ステップＳ２４でスケジュール編集を表示する。
【００３２】
スケジュール編集は、図９に示すように、ステップＳ２５で開始時刻，終了時刻および適用日の入力を行い、ステップＳ２６で登録か否かを判断し、登録でなければ終了して図８のステップＳ２１に進み、登録であれば、ステップＳ２７で登録処理を行って終了し、図８のステップＳ２１に進む。
【００３３】
次に、図８に示すステップＳ２３で送信するか否かを判断し、送信しないのであれば、ステップＳ２８に進み、送信するのであれば、ステップＳ２９で送信処理してステップＳ２１に進む。さらに、ステップＳ２８でユーザーボタンを押したか否かを判断し、押していなければ、ステップＳ２１に進み、押していれば、ステップＳ３０でユーザーボタンの割当を行い、ステップＳ２１に進む。ステップＳ２１でコマンドの選択を行った後、ステップＳ３１で選択したか否かを判断し、選択していなければ、図７に示すステップＳ１４に戻り、選択していれば、設定データを送信し（ステップＳ３２）、図７に示すステップＳ１４に戻る。
【００３４】
続いて、図７に示すステップＳ１７でスケジュールを選択したか否かを判断し、選択していなければ、ステップＳ３３に進み、選択していれば、ステップＳ２４でスケジュール編集を表示し、図９で示したフローチャートと同様の処理を行い、ステップＳ３３に進む。
【００３５】
図７のステップＳ３３では、設定データを選択したか否かを判断し、選択していなければ、ステップＳ３４に進み、選択していれば、ステップＳ３５の設定データ編集を表示し、図１０に示すステップＳ３６で設定データを編集し、ステップＳ３７で送信するか否かを判断し、送信しないのであれば、ステップＳ３８に進み、送信するのであれば、ステップＳ３９で送信処理を行い、ステップＳ３８に進む。ステップＳ３８では保存するか否かを判断し、保存しないのであれば、終了し、図７のステップＳ３４に戻り、保存するのであれば、ステップＳ４０で保存処理して終了し、図７のステップＳ３４に戻る。
【００３６】
図７のステップＳ３４では、ユーザーボタンを選択して押したか否かを判断し、押していなければ、ステップＳ４１に進み、押していれば、ステップＳ４２で送信するか否かを判断し、送信しないのであれば、ステップＳ４１に進み、送信するのであれば、ステップＳ４３で設定データを送信処理し、ステップＳ４１に進む。ステップＳ４１ではスケジュール開始時間か否かを判断し、開始時間でなければ、ステップＳ４４に進み、開始時間であれば、ステップＳ４５でスケジュールを実行し、ステップＳ４４に進む。ステップＳ４４では前画面へ戻るか否かを判断し、前画面に戻らないのであれば、ステップＳ１４に戻り、前画面に戻るのであれば、終了して図６のステップＳ１２に進む。そして、ステップＳ１２で終了するか否かを判断し、終了しないのであれば、ステップＳ９に戻り、終了するのであれば、図４のステップＳ４６で通信モジュールを終了し、終了する。
【００３７】
なお、前述の実施形態では、ユーザーボタンを利用する場合について説明したが、必ずしもユーザーボタンを設ける必要はなく、ユーザーボタンを設けずに新規作成画面およびリモート管理画面を連続操作して設定してもよい。
また、前記管理用コンピューターは、いわゆるホールコンピューターを兼用してもよい。
【００３８】
【発明の効果】
本発明によれば、管理用コンピューターのリモート画面を介して遊技機の動作状況に応じて複数台の表示装置の動作態様を一括して設定できる。このため、表示装置の一元管理が可能となり、表示装置の設定操作が簡単になるだけでなく、表示装置を同時に動作させたり、時間をずらして動作させることができ、多種多様な表現が可能になるという効果がある。
【図面の簡単な説明】
【図１】本発明の実施形態にかかるパチンコ機用呼出ランプの管理システムを示す概略図である。
【図２】図１で示した管理システムのブロック図である。
【図３】管理用コンピューターの機能を示すブロック図である。
【図４】メインフローを示すフローチャート図である。
【図５】通信モジュールフローを示すフローチャート図である。
【図６】稼働状況フローを示すフローチャート図である。
【図７】管理画面フローを示すフローチャート図である。
【図８】図７に続く管理画面フローを示すフローチャート図である。
【図９】スケジュール編集フローを示すフローチャート図である。
【図１０】設定データ編集フローを示すフローチャート図である。
【図１１】稼働状況画面である。
【図１２】リモート管理画面である。
【図１３】図１２に続くリモート管理画面である。
【図１４】図１３に続くリモート管理画面である。
【図１５】初期設定情報編集，新規作成画面である。
【図１６】スケジュール入力画面である。
【符号の説明】
１０…管理用コンピュータ、１１…通信モジュール、１２…島端ユニット、１３…呼出ランプ、１４…ランキングディスプレイ、２１，２３，２６…記憶装置、２２，２４，２５…内部処理装置、３０…稼働状況画面、４０…リモート管理画面、５０…初期設定情報編集，新規作成画面、６０…スケジュール入力画面。
【図１】
2004215841.tif 000003
【図２】
2004215841.tif 000004
【図３】
2004215841.tif 000005
【図４】
2004215841.tif 000006
【図５】
2004215841.tif 000007
【図６】
2004215841.tif 000008
【図７】
2004215841.tif 000009
【図８】
2004215841.tif 000010
【図９】
2004215841.tif 000011
【図１０】
2004215841.tif 000012
【図１１】
2004215841.tif 000013
【図１２】
2004215841.tif 000014
【図１３】
2004215841.tif 000015
【図１４】
2004215841.tif 000016
【図１５】
2004215841.tif 000017
【図１６】
2004215841.tif 000018